(57)【要約】【課題】加熱調理器の防塵フィルターを装着した場合に冷却ファンの圧力損失を増大させ、加熱調理器内部の発熱部に対する冷却性能が低下して、調理性能の確保が困難であったり、防塵フィルターを外している場合に防塵フィルターの着脱状態の確認が困難であるという課題を有していた。【解決手段】加熱コイルを有する本体１２と，本体内の発熱部位に送風し冷却するファン１３と，本体の前面または本体中心より前方側の底面に設けられたファン１３の冷却風を取り入れる吸気口１４と，吸気口１４に略平行に当接する様に配置された吸気口１４よりも小なる面積の小孔を有する着脱可能な防塵フィルター１６とを備え、本体１２の前面より防塵フィルター１６を前後に着脱する構成とした。【選択図】図３
2011023214.tif 000002
【特許請求の範囲】
【請求項１】
トッププレートと、前記トッププレートの下方に本体と前記本体内に前記トッププレートの下方に設けた複数の加熱コイルと、前記本体内の発熱部位に送風し冷却するファンと，前記本体の前面及び前記本体中心より前方側の底面に設けられた前記ファンの冷却風を取り入れる指が入らない程度の複数の穴で構成される吸気口と，前記吸気口に略平行に当接する様に配置された前記吸気口よりも小なる面積の小孔を有する着脱可能な防塵フィルターとを備え、前記本体の前面に略長方形の開口部を設け、前記開口部より前記防塵フィルターを前後に着脱する構成とした誘導加熱調理器。
【請求項２】
トッププレートと、前記トッププレートの下方に本体と前記本体内に前記トッププレートの下方に設けた複数の加熱コイルと、前記本体内の発熱部位に送風し冷却するファンと，前記本体の前面または前記本体中心より前方側の底面に設けられた前記ファンの冷却風を取り入れる指が入らない程度の複数の穴で構成される吸気口と，前記吸気口よりも小なる面積の小孔を有する着脱可能な防塵フィルターとを備え、前記防塵フィルターは前記本体の一部及び前記吸気口を覆う構成とした誘導加熱調理器。
【請求項３】
吸気口付近の左右の両側に防塵フィルターを案内するガイドを設けた請求項１または２に記載の誘導加熱調理器。
【請求項４】
本体前面に略水平線状に凸なる取っ手を有するグリル扉部を備え、前記本体に装着時の防塵フィルターに前記取っ手の略延長線上に凸部を設けた請求項１〜３のいずれか１項に記載の誘導加熱調理器。
【請求項５】
防塵フィルターは飾り部とフィルター部の２部品以上で構成した請求項１〜４のいずれか１項に記載の誘導加熱調理器。
【請求項６】
本体底面前部の吸気口周辺の領域をその他の底面部より一段高い第１の底平面とした請求項１〜５のいずれか１項に記載の誘導加熱調理器。
【発明の詳細な説明】
【技術分野】
【０００１】
本発明は、防塵フィルターを有した誘導加熱調理器に関するものである。
【背景技術】
【０００２】
従来、この種の誘導加熱調理器は、本体ケース前方に空気吸い込み口を設け、この空気吸い込み口に塵や埃を除去するためのフィルターを設けている（例えば、特許文献１参照）。
【０００３】
図１２は、特許文献１に記載された従来の複合加熱調理器を示すものである。図１２に示すように、本体ケース５１内に加熱コイル５２側の発熱部品を冷却するための冷却ファン５３を備え、本体ケース５１内底面前方に冷却ファン５３にて冷却空気を吸い込むための空気吸い込み口５４を設け、この空気吸い込み口５４に塵や埃を除去するためのフィルター５５を設け、このフィルター５５に正面から着脱することができるように取っ手５６を取り付け、さらに取っ手５６とフィルター５５を自在に動かせるよう接続して構成されている。
【先行技術文献】
【特許文献】
【０００４】
【特許文献１】特開平９−１６６３３０号公報
【発明の概要】
【発明が解決しようとする課題】
【０００５】
しかしながら、前記従来の構成では、本体ケース底面前方のみに吸気口があるために、吸気口面積を十分に確保することが困難であり、加熱調理器の防塵フィルターを装着した場合に冷却ファンの圧力損失を増大させ、加熱調理器内部の発熱部に対する冷却性能が低下して、調理性能の確保が困難である。また、防塵フィルターを外している場合に防塵フィルターの着脱状態の確認が困難で防塵フィルターの装着忘れがあるという課題を有していた。
【０００６】
本発明は、前記従来の課題を解決するもので、防塵フィルターを装着した際にも冷却ファンの性能を確保し、着脱が容易かつ防塵フィルターが未装着状態の時に認知しやすく、装着忘れを防止した誘導加熱調理器を提供することを目的とする。
【課題を解決するための手段】
【０００７】
前記従来の課題を解決するために、本発明の誘導加熱調理器は、トッププレートと、前記トッププレートの下方に本体と前記本体内に前記トッププレートの下方に設けた複数の加熱コイルと、前記本体内の発熱部位に送風し冷却するファンと，前記本体の前面及び前記本体中心より前方側の底面に設けられた前記ファンの冷却風を取り入れる指が入らない程度の複数の穴で構成される吸気口と，前記吸気口に略平行に当接する様に配置された前記吸気口よりも小なる面積の小孔を有する着脱可能な防塵フィルターとを備え、前記本体の前面に略長方形の開口部を設け、前記開口部より前記防塵フィルターを前後に着脱する構成としたものである。
【０００８】
これによって、防塵フィルターを装着した際にもファンの冷却性能を確保し、着脱が容易かつ防塵フィルターが未装着状態の時に認知しやすく、装着忘れを防止することとなる。
【発明の効果】
【０００９】
本発明の誘導加熱調理器は、防塵フィルターを装着した際にも冷却ファンの性能を確保し、着脱が容易かつ防塵フィルターが未装着状態の時に認知しやすく、装着忘れを防止することができる。
【図面の簡単な説明】
【００１０】
【図１】本発明の実施の形態１における誘導加熱調理器の全体斜視図
【図２】本発明の実施の形態１における誘導加熱調理器の底面側の吸気口の部分拡大図
【図３】本発明の実施の形態１における誘導加熱調理器の主要断面図
【図４】本発明の実施の形態１における防塵フィルター未装着時の前面側の吸気口の部分拡大図
【図５】本発明の実施の形態２における誘導加熱調理器の主要断面図
【図６】本発明の実施の形態２における誘導加熱調理器の部分拡大図
【図７】本発明の実施の形態２における誘導加熱調理器の部分拡大図
【図８】本発明の実施の形態２における誘導加熱調理器の全体斜視図
【図９】本発明の実施の形態２における防塵フィルター１６の斜視図
【図１０】本発明の実施の形態２における防塵フィルター１６未装着時の誘導加熱調理器の全体斜視図
【図１１】本発明の実施の形態２における防塵フィルター１６装着時の誘導加熱調理器の主要断面図
【図１２】従来の複合加熱調理器の全体斜視図
【発明を実施するための形態】
【００１１】
第１の発明は、トッププレートと、前記トッププレートの下方に本体と前記本体内に前記トッププレートの下方に設けた複数の加熱コイルと、前記本体内の発熱部位に送風し冷却するファンと，前記本体の前面及び前記本体中心より前方側の底面に設けられた前記ファンの冷却風を取り入れる指が入らない程度の複数の穴で構成される吸気口と，前記吸気口に略平行に当接する様に配置された前記吸気口よりも小なる面積の小孔を有する着脱可能な防塵フィルターとを備え、前記本体の前面に略長方形の開口部を設け、前記開口部より前記防塵フィルターを前後に着脱する構成としたことにより、防塵フィルターを装着した際にも前記冷却ファンの性能を確保し、着脱が容易かつ前記防塵フィルターが未装着状態の時に一目で認知しやすく、装着忘れを防止することができる。
【００１２】
第２の発明は、トッププレートと、前記トッププレートの下方に本体と前記本体内に前記トッププレートの下方に設けた複数の加熱コイルと、前記本体内の発熱部位に送風し冷却するファンと，前記本体の前面または前記本体中心より前方側の底面に設けられた前記ファンの冷却風を取り入れる指が入らない程度の複数の穴で構成される吸気口と，前記吸気口よりも小なる面積の小孔を有する着脱可能な防塵フィルターとを備え、前記防塵フィルターは前記本体の一部及び前記吸気口を覆う構成とすることにより、キッチンのキャビネットと前記防塵フィルターの間に指を入れることが可能になり、着脱が容易かつ、前記防塵フィルターを装着した際にも前記冷却ファンの性能を確保し、前記防塵フィルターが未装着状態の時に一目で認知しやすく、装着忘れを防止することができる。
【００１３】
第３の発明は、特に、第１または第２の発明において、吸気口付近の左右の両側に防塵フィルターを案内するガイドを設けたことにより、前記防塵フィルターの装着時には前記ガイドで前記防塵フィルターの左右両端が案内されるために、着脱をさらに容易にすることができる。
【００１４】
第４の発明は、特に、第１〜３のいずれか１つの発明において、本体前面に略水平線状
に凸なる取っ手を有するグリル扉部を備え、前記本体に装着時の防塵フィルターに前記取っ手の略延長線上に凸部を設けたことにより、デザイン性を確保した上で前記取っ手の形状を大きくすることができ、着脱をさらに容易にすることができる。
【００１５】
第５の発明は、特に、第１〜４のいずれか１つの発明の防塵フィルターは飾り部とフィルタ部の２部品以上で構成したことにより、樹脂成型やプレス加工等の制限を受けることなく前記防塵フィルター形状の自由度が増し、前記防塵フィルターが未装着状態の時の概観を大きく変えられるため、前記防塵フィルターが未装着状態の時に一目で認知しやすく、装着忘れを防止することができる。
【００１６】
第６の発明は、特に、第１〜５のいずれか１つの発明において、本体底面前部の吸気口の周辺の領域をその他の底面部より一段高い第１の底平面としたことにより、キッチンのキャビネットと前記防塵フィルターの間の距離を確保することができ、ファンの冷却風に対する圧力損失を低減でき、前記ファンの冷却性能を向上でき、加熱コイルの高い加熱出力等の調理性能を確保することができる。
【００１７】
以下、本発明の実施の形態について、図面を参照しながら説明する。尚、この実施の形態によって本発明が限定されるものではない。
【００１８】
（実施の形態１）
図１は、本発明の第１の実施の形態における誘導加熱調理器の全体斜視図であり、図２は本発明の第１の実施の形態における誘導加熱調理器の底面側の吸気口の部分拡大図である。図３は本発明の第１の実施の形態における誘導加熱調理器の主要断面図である。図４は本発明の第１の実施の形態における防塵フィルター未装着時の前面側の吸気口の部分拡大図である。
【００１９】
図１〜４において、上面にトッププレート１９を有する本体１２と，トッププレート１９の下方に配した複数の加熱コイル１１と、加熱コイル１１を制御する制御部２１や加熱コイル１１等の発熱部を冷却するファン１３と，本体１２の前方及び下方の外面に設けられたファン１３の冷却風を取り入れる指が入らない程度の複数の穴で構成される吸気口１４と，吸気口１４に略平行に当接する様に配置された吸気口１４よりも小なる面積の複数の小孔１５を有する着脱可能な防塵フィルター１６とで構成している。
【００２０】
尚、吸気口１４を指が入らない程度の複数の穴で構成することにより、防塵フィルターが未装着状態でも、指がファン１３に触れることによる外傷や感電の危険性を低減することができる。
【００２１】
尚、ファン１３は、ラジアルファンや軸流ファンでも良いが、騒音を抑制して風量をより多く出すためには、ターボファンやシロッコファン等の遠心ファンの方が発熱部の冷却に対して有利である。
【００２２】
尚、吸気口１４を本体１２の前面の下方側に配置することにより、被加熱物３１から発生した油煙から遠くなることにより、本体１２内への油煙の侵入を防止することが可能になる。
【００２３】
尚、防塵フィルター１６の本体前面側の面に取っ手１７を凸または凹に備えることにより、指を使っての着脱が容易になる。防塵フィルター１６は、本体１２の前面に設けられた略長方形の開口部１８より着脱が可能になっている。
【００２４】
尚、防塵フィルター１６装着時の本体１２の下方の外面部に位置する小孔１５は本体１
２の内側でも外側でも良いが、本体１２の外側に小孔１５を配置させた方が、本体内部に埃や粉塵が入るのを防止することができる。
【００２５】
以上のように、構成された誘導加熱調理器について、以下その動作、作用を説明する。
【００２６】
まず、使用者が操作部２０により加熱開始入力を行うと、出力信号が制御部２１に入力され、制御部２１は加熱コイル１１に電流を供給することによって加熱コイル１１が加熱開始を行い、被加熱物３１を加熱する（図３）。
【００２７】
制御部２１は、同時にファン１３に電流を供給して、ファン１３の駆動を行う。ファン１３が回転することにより、本体１２の外面に位置する吸気口１４に当接する様に配置された防塵フィルター１６の小孔１５から吸気され、ファンを通過して制御部２１や加熱コイル１１を冷却し、排気口２２から排気される（図３）。
【００２８】
また、ファン１３が駆動することにより、防塵フィルター１６の小孔１５に埃や油などが堆積される。尚、少なくとも１つの小孔１５が使用者により認識できる前面にあることにより、埃等の堆積物によって使用者に対して清掃を促すことができる。
【００２９】
尚、防塵フィルター１６は、本体１２の内部でも外部でも良いが、内部に配置した場合には、接触や摩擦による防塵フィルター１６の破損を防止することができ、外部に配置した場合には、吸気口１４に埃などの粉塵が付着するのを防止することができる。
【００３０】
以上のように、本実施の形態においては、本体１２内の発熱部位に送風し冷却するファン１３と，本体１２の前面及び本体中心より前方側の底面に設けられたファン１３の冷却風を取り入れる指が入らない程度の複数の穴で構成される吸気口１４と，吸気口１４に略平行に当接する様に配置された吸気口１４よりも小なる面積の小孔１５を有する着脱可能な防塵フィルター１６とを備え、本体１２の前面に略長方形の開口部１８を設け、開口部１８より防塵フィルター１６を前後に着脱する構成としたことにより、防塵フィルター１６を装着した際にもファン１３の冷却性能を確保し、着脱が容易かつ防塵フィルター１６が未装着状態の時に一目で認知しやすく、装着忘れを防止することができる。
【００３１】
（実施の形態２）
図５は、本発明の第２の実施の形態における誘導加熱調理器の主要断面図である。図６は、本発明の第２の実施の形態における誘導加熱調理器の部分拡大図である。図７は、本発明の第２の実施の形態における誘導加熱調理器の部分拡大図である。図８は、本発明の第２の実施の形態における誘導加熱調理器の全体斜視図である。図９は、本発明の第２の実施の形態における防塵フィルター１６の斜視図である。図１０は本発明の第２の実施の形態における防塵フィルター１６未装着時の誘導加熱調理器の全体斜視図である。図１１は本発明の第２の実施の形態における防塵フィルター１６装着時の誘導加熱調理器の主要断面図である。
【００３２】
図５において、防塵フィルター１６は、本体１２の外側に吸気口１４を覆う様に配置されている。これにより、ほとんどの埃や粉塵は、防塵フィルター１６の外側に付着することになり、着脱の際に埃や粉塵が防塵フィルター１６から離れるのを防止することができ、清掃性を向上することができる。
【００３３】
防塵フィルター１６の固定方法は、ねじによって本体１２に締結するか、または爪などの勘合で本体１２に固定する。
【００３４】
防塵フィルター１６に取っ手１７を本体１２の下方に配置させることにより、着脱を容
易にすることができる。
【００３５】
尚、キャビネット３２と取っ手１７との距離を１０ｍｍ以上とすることで、ほとんどの使用者の指がキャビネット３２と取っ手１７との間に入れることが可能になるため、着脱が容易になる。
【００３６】
図６において、防塵フィルター１６に取っ手１７を本体１２の下方に配置させることにより、着脱を容易にすることができる。尚、小孔１５には埃や粉塵が堆積するので取っ手１７と小孔１５の距離を５ｍｍ以上離すことにより、着脱時に取っ手１７に触れて埃や粉塵が指に付着するのを防止することができる。
【００３７】
図７において、本体１２の前面側の下方の外面にガイド１９を配置して、着脱時に防塵フィルター１６の両側を案内することにより、容易に着脱が可能となる。尚、本体１２の前面側から見て、ガイド１９が視認できる位置にすることにより、容易に着脱が可能となる。
【００３８】
図８において、本体１２前面に略水平線状に凸なる取っ手を有するグリル扉部２７を備え、本体１２に装着時の防塵フィルター１６に前記取っ手の略延長線上に凸部２３を設けて、防塵フィルター１６の持ち手とすることで、デザイン性を確保した上で前記取っ手の形状を大きくすることができ、着脱をさらに容易にすることができる。
【００３９】
図９において、防塵フィルター１６を本体１２の前面側に飾り部２４で構成し、本体１２の下方側をフィルター部２５で構成することにより、形状の自由度が増し、前記防塵フィルターを装着した時と未装着状態の時の概観を大きく変えられるため、前記防塵フィルターが未装着状態の時に一目で認知しやすく、装着忘れを防止することができる。
【００４０】
尚、飾り部２４を本体１２と異なる色とすることにより、未装着状態の時にさらに、認知しやすくすることができる。
【００４１】
図１０及び図１１において、本体１２底面前部の吸気口１４周辺の領域をその他の底面部より一段高い第１の底平面２６として、キッチンのキャビネット３２と防塵フィルター１６の間の距離を確保することができ、ファン１３の冷却風に対する圧力損失を低減でき、前記ファン１３の性能を向上でき、加熱コイル１１の高い加熱出力等の調理性能を確保することができる。
【００４２】
尚、第１の底平面２６とキャビネット３２の距離を離すほど、ファン１３の冷却風に対する圧力損失を低減できるが、ファン１３に近接し過ぎると、圧力損失の増大する可能性があり、ファン１３の吸い込み口からファン径の半分の以上は離している状態であることが望ましい。
【００４３】
以上のように、構成された誘導加熱調理器について、以下その動作、作用を説明する。
【００４４】
使用者が操作部２０により加熱開始入力を行うと、出力信号が制御部２１に入力され、制御部は加熱コイル１１に電流を供給することによって加熱コイル１１が加熱開始を行い、被加熱物３１を加熱する。制御部２１は同時にファン１３に電流を供給して、ファン１３の駆動を行う。
【００４５】
ファン１３が回転することにより、本体１２の外面に位置する吸気口１４に当接する様に配置された防塵フィルター１６の小孔１５から吸気され、ファン１３を通過して制御部２１や加熱コイル１１を冷却し、排気口２２から排気される。
【００４６】
また、ファン１３が駆動することにより、防塵フィルター１６の小孔１５に埃や油などが堆積する。
【００４７】
尚、少なくとも１つの小孔１５が、使用者が認識できる前面にあることにより、埃等の堆積物によって使用者に対して清掃を促すことができる。
【産業上の利用可能性】
【００４８】
以上のように、本発明にかかる誘導加熱調理器は、防塵フィルターを装着した際にも冷却ファンの性能を確保し、着脱が容易かつ防塵フィルターが未装着状態の時に認知しやすく、装着忘れを防止することが可能となるので、据置または組込型の誘導加熱調理器だけでなく、加熱調理器全般の用途に有効である。
【符号の説明】
【００４９】
１１  加熱コイル
１２  本体
１３  ファン
１４  吸気口
１５  小孔
１６  防塵フィルター
１７  取っ手
１８  開口部
１９  トッププレート
２０  操作部
２２  排気口
２４  飾り部
２５  フィルター部
２６  第１の底平面
２７  グリル扉部
【図１】
2011023214.tif 000003
【図２】
2011023214.tif 000004
【図３】
2011023214.tif 000005
【図４】
2011023214.tif 000006
【図５】
2011023214.tif 000007
【図６】
2011023214.tif 000008
【図７】
2011023214.tif 000009
【図８】
2011023214.tif 000010
【図９】
2011023214.tif 000011
【図１０】
2011023214.tif 000012
【図１１】
2011023214.tif 000013
【図１２】
2011023214.tif 000014